(57)【要約】【課題】フォーカスデマンドを使用したフォーカス調整を良好に行い得るようにする。【解決手段】フォーカスポジション情報に基づいて現在のフォーカスポジションを示す指標を表示する指標表示信号を発生する。撮像画像信号にこの指標表示信号を合成してビューファインダ用の画像信号を得る。ビューファインダに、撮像画像と共に、現在のフォーカスポジションを示す指標を表示できる。カメラマンは、現在のフォーカスポジションのおおよその位置をビューファインダから視線を外すことなく確認でき、フォーカスデマンドを使用したフォーカス調整を良好に行うことができる。【選択図】図２
2015111808.tif 000002
【特許請求の範囲】
【請求項１】
フォーカスポジション情報に基づいて現在のフォーカスポジションを示す指標を表示する指標表示信号を発生する表示信号発生部と、
撮像画像信号に上記指標表示信号を合成してビューファインダ用の画像信号を得る合成部とを備える
カメラ装置。
【請求項２】
フォーカスポジションを登録するフォーカスポジション登録部をさらに備え、
上記表示信号発生部は、上記指標表示信号と共に、上記指標の移動通路上に上記登録されたフォーカスポジションを示すポジションマーカを表示するポジションマーカ表示信号を発生し、
上記合成部は、上記撮像画像信号に、上記指標表示信号および上記ポジションマーカ表示信号を合成してビューファインダ用の画像信号を得る
請求項１に記載のカメラ装置。
【請求項３】
上記フォーカスポジション登録部は、ＵＩ表示に基づいたユーザ操作に応じて現在のフォーカスポジションを登録する
請求項２に記載のカメラ装置。
【請求項４】
上記フォーカスポジション登録部は、フォーカスポジション登録のためのスイッチの操作情報に基づいて現在のフォーカスポジションを登録する
請求項２に記載のカメラ装置。
【請求項５】
上記フォーカスポジション登録部は、フォーカスポジションの登録状態にあるとき、上記フォーカスポジション登録のためのスイッチの操作情報に基づいてフォーカスポジションの登録状態を解除する
請求項４に記載のカメラ装置。
【請求項６】
上記表示信号発生部は、
上記指標の移動方向における該指標の表示幅が上記ポジションマーカの表示幅より大きくなると共に、
上記指標と上記ポジションマーカの表示が重なるとき、上記ポジションマーカが上記指標より手前に配置されるように、
上記指標表示信号および上記ポジションマーカ表示信号を発生する
請求項２に記載のカメラ装置。
【請求項７】
上記指標の表示幅を調整する幅調整部をさらに備える
請求項６に記載のカメラ装置。
【請求項８】
上記フォーカスポジションの登録に関連付けて、該フォーカスポジションを示すポジションマーカの表示色を登録する表示色登録部をさらに備え、
上記表示信号発生部は、上記登録されたフォーカスポジションを示すポジションマーカを表示するポジションマーカ表示信号を、該ポジションマーカが上記登録された表示色で表示されるように発生する
請求項２に記載のカメラ装置。
【請求項９】
上記表示信号発生部は、上記指標と上記ポジションマーカの表示が重なるとき、上記指標表示信号および上記ポジションマーカ表示信号と共に、撮像画像の端部の一部または全部の領域に上記ポジションマーカの表示色と同一色の色表示を行う色表示信号を発生し、
上記合成部は、上記撮像画像信号に、上記指標表示信号、上記ポジションマーカ表示信号および上記色表示信号を合成してビューファインダ用の画像信号を得る
請求項８に記載のカメラ装置。
【請求項１０】
上記フォーカスポジションの登録に関連付けて、該フォーカスポジションに対応したポジション名を登録するポジション名登録部をさらに備え、
上記表示信号発生部は、上記指標と上記ポジションマーカの表示が重なるとき、上記指標表示信号および上記ポジションマーカ表示信号と共に、上記登録されたポジション名を表示するポジション名表示信号を発生し、
上記合成部は、上記撮像画像信号に、上記指標表示信号、上記ポジションマーカ表示信号および上記ポジション名表示信号を合成してビューファインダ用の画像信号を得る
請求項２に記載のカメラ装置。
【請求項１１】
上記表示信号発生部は、
上記フォーカスポジション情報が示す現在のフォーカスポジションが、上記登録されたフォーカスポジションを中心とする一定の範囲内に入るとき、
上記指標の表示態様が変更されるように上記指標表示信号を発生する
請求項２に記載のカメラ装置。
【請求項１２】
上記一定の範囲の大きさを調整する範囲調整部をさらに備える
請求項１１に記載のカメラ装置。
【請求項１３】
上記指標の表示態様の変更は、形状および/または色の変更である
請求項１１に記載のカメラ装置。
【請求項１４】
表示信号発生部により、フォーカスポジション情報に基づいて現在のフォーカスポジションを示す指標を表示する指標表示信号を発生し、
撮像画像信号に上記指標表示信号を合成してビューファインダ用の画像信号を得る
ビューファインダ用画像信号の生成方法。
【発明の詳細な説明】
【技術分野】
【０００１】
本技術は、カメラ装置およびビューファインダ用画像信号の生成方法に関し、特に、フォーカスデマンドによるフォーカス調整が可能なレンズ装置を接続して使用するカメラ装置などに関する。
【背景技術】
【０００２】
従来、フォーカスデマンド（フォーカスコントローラ）によるフォーカス調整が可能なレンズ装置を接続して使用するカメラ装置が知られている（例えば、特許文献１参照）。フォーカスデマンドは、マニュアルフォーカスによりフォーカス制御を行う際に用いられ、カメラマンは、フォーカスデマンドを回転操作することで、フォーカスポジションをＮＥＡＲ（至近）とＦＡＲ（無限遠）の間で調整することができる。
【先行技術文献】
【特許文献】
【０００３】
【特許文献１】特開２０１２−１７３３２９号公報
【発明の概要】
【発明が解決しようとする課題】
【０００４】
フォーカスデマンドを使用してフォーカス調整をする際、カメラマンは、現在のフォーカスポジションのおおよその位置を、ビューファインダから視線を外すことなく確認できれば便利である。
【０００５】
従来、カメラマンは、フォーカスデマンドを使用する場合、例えば、特定位置にフォーカスを合わせるための回転操作位置をマーキングテープなどにより事前に印し、実際の運用中にはその印を参照して特定位置にフォーカスを合わせる操作を行っている。しかし、この方法では、操作位置を確認するためにビューファインダから視線を外さなければならない。また、この方法では、フォーカスデマンドが多回転のロータリーエンコーダで構成される場合、その印は特定位置にフォーカスを合わせるための回転操作位置を完全に示すものとはならない。
【０００６】
本技術の目的は、フォーカスデマンドを使用したフォーカス調整を良好に行い得るようにすることにある。
【課題を解決するための手段】
【０００７】
本技術の概念は、
フォーカスポジション情報に基づいて現在のフォーカスポジションを示す指標を表示する指標表示信号を発生する表示信号発生部と、
撮像画像信号に上記指標表示信号を合成してビューファインダ用の画像信号を得る合成部とを備える
カメラ装置にある。
【０００８】
本技術において、表示信号発生部により、フォーカスポジション情報に基づいて現在のフォーカスポジションを示す指標を表示する指標表示信号が発生される。例えば、フォーカスポジション情報は、カメラ装置に接続されるフォーカスデマンドによるフォーカス調整が可能なレンズ装置から送られてくる。合成部により、撮像画像信号に指標表示信号が合成されてビューファインダ用の画像信号が得られる。
【０００９】
このように本技術においては、撮像画像信号に現在のフォーカスポジションを示す指標を表示する指標表示信号が合成されてビューファインダ用の画像信号が得られるものである。そのため、ビューファインダには、撮像画像と共に、現在のフォーカスポジションを示す指標が表示されるので、カメラマンは、現在のフォーカスポジションのおおよその位置をビューファインダから視線を外すことなく確認でき、フォーカスデマンドを使用したフォーカス調整を良好に行うことができる。
【００１０】
なお、本技術において、例えば、フォーカスポジションを登録するフォーカスポジション登録部をさらに備え、表示信号発生部は、指標表示信号と共に、指標の移動通路上に登録されたフォーカスポジションを示すポジションマーカを表示するポジションマーカ表示信号を発生し、合成部は、撮像画像信号に、指標表示信号およびポジションマーカ表示信号を合成してビューファインダ用の画像信号を得る、ようにされてもよい。
【００１１】
この場合、ビューファインダには、指標の移動通路上に登録されたフォーカスポジションを示すポジションマーカが表示される。このポジションマーカは、例えば、特定位置にフォーカスを合わせるためのフォーカスポジションを示すものである。そのため、カメラマンは、指標の表示位置がポジションマーカの表示位置に近づくようにフォーカスデマンドを操作することで、特定位置にフォーカスを合わせることが容易に可能となる。
【００１２】
例えば、フォーカスポジション登録部は、ＵＩ表示に基づいたユーザ操作に応じて現在のフォーカスポジションを登録する、ようにされてもよい。また、例えば、フォーカスポジション登録部は、フォーカスポジション登録のためのスイッチの操作情報に基づいて現在のフォーカスポジションを登録する、ようにされてもよい。そして、この場合、フォーカスポジション登録部は、フォーカスポジションの登録状態にあるとき、フォーカスポジション登録のためのスイッチの操作情報に基づいてフォーカスポジションの登録状態を解除する、ようにされてもよい。
【００１３】
また、本技術において、例えば、表示信号発生部は、指標の移動方向におけるこの指標の表示幅がポジションマーカの表示幅より大きくなると共に、指標とポジションマーカの表示が重なるとき、ポジションマーカが指標より手前に配置されるように、指標表示信号およびポジションマーカ表示信号を発生する、ようにされてもよい。例えば、指標の方位幅を調整する幅調整部をさらに備える、ようにされてもよい。
【００１４】
この場合、指標の移動方向における表示幅が大きくされることから、カメラマンによる指標の視認性を高めることが可能となる。また、この場合、指標の移動方向におけるこの指標の表示幅がポジションマーカの表示幅より大きくなると共に、指標とポジションマーカの表示が重なるとき、ポジションマーカが指標より手前に配置されることから、カメラマンはポジションマーカで分断される指標の左右領域の大きさのバランスから、フォーカスポジションをポジションマーカが示すフォーカスポジションに合わせることが容易に可能となる。
【００１５】
また、本技術において、例えば、フォーカスポジションの登録に関連付けて、このフォーカスポジションを示すポジションマーカの表示色を登録する表示色登録部をさらに備え、表示信号発生部は、登録されたフォーカスポジションを示すポジションマーカを表示するポジションマーカ表示信号を、このポジションマーカが登録された表示色で表示されるように発生する、ようにされてもよい。この場合、複数のフォーカスポジションを登録する際に、それぞれ別個の表示色を登録することで、カメラマンは、複数の特定位置に係るポジションマーカを表示色で識別することが可能となる。
【００１６】
この場合、例えば、表示信号発生部は、指標とポジションマーカの表示が重なるとき、指標表示信号およびポジションマーカ表示信号と共に、撮像画像の端部の一部または全部にポジションマーカの表示色と同一色の表示を行う色表示信号を発生し、合成部は、撮像画像信号に、指標表示信号、ポジションマーカ表示信号および色表示信号を合成してビューファインダ用の画像信号を得る、ようにされてもよい。
【００１７】
この場合、指標の表示位置が所定のポジションマーカの表示位置に重なるようフォーカスデマンドが操作されるとき、ビューファインダには、撮像画像の端部の一部または全部にポジションマーカの表示色と同一色の色表示がされる。そのため、カメラマンは、どのポジションマーカに指標を合わせたか、従って、被写体のどこにフォーカスを合わせたかを容易に確認可能となる。
【００１８】
また、本技術において、例えば、フォーカスポジションの登録に関連付けて、このフォーカスポジションに対応したポジション名（フォーカスを合わせる被写体位置の名など）を登録するポジション名登録部をさらに備え、表示信号発生部は、指標とポジションマーカの表示が重なるとき、指標表示信号およびポジションマーカ表示信号と共に、登録されたポジション名を表示するポジション名表示信号を発生し、合成部は、撮像画像信号に、指標表示信号、ポジションマーカ表示信号およびポジション名表示信号を合成してビューファインダ用の画像信号を得る、ようにされてもよい。
【００１９】
この場合、指標の表示位置が所定のポジションマーカの表示位置に重なるようフォーカスデマンドが操作されるとき、ビューファインダには、その所定のポジションマーカが示すフォーカスポジションに対応したポジション名が表示される。そのため、カメラマンは、どのポジションマーカに指標を合わせたか、従って、被写体のどこにフォーカスを合わせたかを容易に確認可能となる。
【００２０】
また、本技術において、例えば、表示信号発生部は、フォーカスポジション情報が示す現在のフォーカスポジションが、登録されたフォーカスポジションを中心とする一定の範囲内に入るとき、指標の表示態様が変更されるように指標表示信号を発生する、ようにされてもよい。この場合、例えば、一定の範囲の大きさを調整する範囲調整部をさらに備える、ようにされてもよい。また、この場合、例えば、指標の表示態様の変更は、形状および/または色の変更である、ようにされてもよい。このように指標の表示態様が変更されることで、カメラマンは、現在のフォーカスポジションがポジションマーカで示される登録されたフォーカスポジションにほぼ一致したことを容易に把握可能となる。
【発明の効果】
【００２１】
本技術によれば、フォーカスデマンドを使用したフォーカス調整を良好に行い得る。なお、本明細書に記載された効果はあくまで例示であって限定されるものではなく、また付加的な効果があってもよい。
【図面の簡単な説明】
【００２２】
【図１】実施の形態としてのカメラシステムの構成例を示すブロック図である。
【図２】ビューファインダにおける現在のフォーカスポジションを示す指標の表示例を示す図である。
【図３】フォーカスポジションの登録/編集モードにおけるビューファインダのＵＩ表示の一例を示す図である。
【図４】フォーカスポジションの登録/編集モードの解除後におけるビューファインダの表示例を示す図である。
【図５】指標とポジションマーカが重なるときのポジション名の表示を説明するための図である。
【図６】指標とポジションマーカが重なるときのビューファインダの表示の一例を示す図である。
【図７】指標とポジションマーカが重なるときのビューファインダの表示の他の一例を示す図である。
【図８】現在のフォーカスポジションが、登録されたフォーカスポジションとほぼ一致するときの指標の表示態様の変更などを説明するための図である。
【図９】カメラＣＰＵにおける指標等の表示制御の一例を説明するためのフローチャートである。
【図１０】専用ハードスイッチを用いたフォーカスポジションの登録を説明するための図である。
【図１１】指標とポジションマーカが重なるときの色枠（画面枠）の表示を説明するための図である。
【図１２】指標とポジションマーカが重なるときのビューファインダの表示の一例を示す図である。
【図１３】指標とポジションマーカが重なるときのビューファインダの表示の他の一例を示す図である。
【図１４】現在のフォーカスポジションを示す指標の他の例を説明するための図である。
【発明を実施するための形態】
【００２３】
以下、発明を実施するための形態（以下、「実施の形態」とする）について説明する。なお、説明を以下の順序で行う。
１．実施の形態
２．変形例
【００２４】
＜１．実施の形態＞
［カメラシステムの構成例］
図１は、実施の形態としてのカメラシステム１０の構成例を示している。このカメラシステム１０は、カメラ装置１００と、レンズ装置２００と、ビューファインダ３００とからなっている。レンズ装置２００は、カメラ装置１００の前部のレンズマウント部に取り付けられている。
【００２５】
レンズ装置２００は、フォーカスデマンド（フォーカスコントローラ）４００によるフォーカス調整が可能とされている。レンズ装置２００は、レンズ装置２００の各部の動作を制御するレンズＣＰＵ２０１を有している。レンズＣＰＵ２０１は、フォーカスデマンド４００からケーブル４０１を通じて送られてくるフォーカス調整信号に基づいて、フォーカス制御を行う。
【００２６】
カメラ装置１００は、カメラＣＰＵ１０１と、ユーザ操作部１０２と、センサー部１０３と、カメラ信号処理部１０４と、ＶＦ信号処理部１０５を有している。カメラＣＰＵ１０１は、カメラ装置１００の各部の動作を制御する。ユーザ操作部１０２は、カメラＣＰＵ１０１に接続されており、ユーザが種々の操作を行うためのユーザインタフェースを構成する。この実施の形態では、カメラマン（ユーザ）のユーザ操作部１０２の操作により、フォーカスポジションの登録などが可能とされている。フォーカスポジションの登録操作の詳細については、後述する。
【００２７】
センサー部１０３は、ＣＭＯＳイメージセンサなどの撮像素子を持ち、被写体に対応した撮像画像信号を出力する。上述のレンズ装置２００により、撮像素子の撮像面に、被写体が結像される。カメラ信号処理部１０４は、センサー部１０３から出力される撮像画像信号を処理し、カメラ装置１００の出力としての画像信号を出力する。カメラ信号処理部１０４は、例えば、利得制御、ホワイトバランス調整、ガンマ補正等の処理を行う。
【００２８】
ＶＦ信号処理部１０５は、カメラ信号処理部１０４から出力される画像信号に基づいて、ビューファインダ用の画像信号を生成し、ビューファインダ３００に送る。ＶＦ信号処理部１０５は、カメラＣＰＵ１０１から送られてくる表示制御信号に基づいて、例えば、指標表示信号、ポジションマーカ表示信号、ポジション名表示信号などを発生する。そして、ＶＦ信号処理部１０５は、これらの表示信号を、カメラ信号処理部１０４から出力される画像信号（撮像画像信号）に合成して、ビューファインダ用の画像信号を生成する。
【００２９】
ここで、指標表示信号は、現在のフォーカスポジションを示す指標を表示するための表示信号である。ポジションマーカ表示信号は、登録されたフォーカスポジションを示すポジションマーカを、上述の指標の移動通路上に表示するための表示信号である。ポジション名表示信号は、フォーカスポジションの登録の際に、それに付随して登録されたポジション名（フォーカスを合わせる被写体位置の名など）を表示するための表示信号である。
【００３０】
カメラＣＰＵ１０１には、レンズＣＰＵ２０１から、現在のフォーカスポジションを示すフォーカスポジション情報が、ケーブル２０２を介して、送られてくる。カメラＣＰＵ１０１は、このフォーカスポジション情報に基づいて、ＶＦ信号処理部１０５に、現在のフォーカスポジションを示す指標を表示するための指標表示信号を発生させるための表示制御信号を生成して送る。
【００３１】
図２（ａ）は、ビューファインダ３００における現在のフォーカスポジションを示す指標５００の表示例を示している。なお、撮像画像も同時に表示されるが、図面の簡単化のために、ここでは省略している。「ＮＥＡＲ（至近）」の表示部と「ＦＡＲ（無限遠）」の表示部との間にはガイドライン５０１が表示されている。カメラマンがフォーカスデマンド４００でフォーカス調整を行う際、現在のフォーカスポジションの変化に応じて、指標５００の表示位置は、ガイドライン５０１上をＮＥＡＲ側あるいはＦＡＲ側に移動する。
【００３２】
指標５００は、例えば、長方形の形状とされ、白色で表示される。図２（ｂ）に示すように、この指標５００の移動方向の表示幅Ｗはカメラマンの視認性を高めるために比較的大きくされる。ユーザは、この指標５００の表示幅Ｗを、連続的にあるいは段階的に調整することが可能とされている。この場合、ユーザは、例えば、ユーザ操作部１０２により、ＵＩ表示に基づいたユーザ操作（メニュー操作）を行うことで表示幅Ｗの調整を行う。
【００３３】
図２（ｃ）は、ビューファインダ３００における現在のフォーカスポジションを示す指標５００の他の表示例を示している。図２（ａ）の表示例では、ガイドライン５０１は水平方向に延びており、フォーカスポジションの変化に応じて、指標５００の表示位置は水平方向に移動する。しかし、この図２（ｃ）の表示例では、ガイドライン５０１は垂直方向に延びており、フォーカスポジションの変化に応じて指標５００の表示位置は垂直方向に移動する。また、図２（ａ），（ｃ）の表示例では、ガイドライン５０１が表示されているが、ビューファインダ３００の画面上の表示をできるだけ少なくするという観点から、ガイドライン５０１を表示しないことも考えられる。
【００３４】
図１に戻って、カメラマン（ユーザ）は、ユーザ操作部１０２を操作し、ＵＩ表示に基づいたユーザ操作（メニュー操作）を行うことで、フォーカスポジション（ポジションマーカ）の登録が可能とされている。この場合、被写体の特定位置にフォーカスを合わせるためのフォーカスポジションの予めの登録が可能となり、実際の運用中にその特定位置にフォーカスを合わせる際のフォーカスポジションの情報として使用することが可能となる。
【００３５】
フォーカスポジションの登録手順の一例について説明する。最初に、カメラマンのユーザ操作部１０２における操作に基づいて、カメラＣＰＵ１０１は、カメラ装置１００をフォーカスポジションの登録/編集モードにする。図３（ａ）は、この登録/編集モードにおけるビューファインダ３００のＵＩ表示の一例を示している。なお、撮像画像も同時に表示されるが、図面の簡単化のために、ここでは省略している。
【００３６】
カメラマンは、このＵＩ表示に基づいて、ユーザ操作部１０２を操作し、「Ｍａｒｋｅｒ ＳＥＬ」の項目で、ポジションマーカの番号として、任意の番号を選択する。その後、カメラマンは、フォーカスデマンド４００を操作してフォーカス調整を行って被写体の特定位置にフォーカスを合わせる。このフォーカス調整時には、ビューファインダ３００に表示されている指標５００の表示位置は、現在のフォーカスポジションの変化に応じて移動し、最終的に、その特定位置にフォーカスを合わせるためのフォーカスポジションに対応した位置に落ち着く。
【００３７】
この状態で、カメラマンがユーザ操作部１０２の登録ボタンを操作することで、カメラＣＰＵ１０１は、メモリ１０１ａに、フォーカスポジションを登録する。この場合、メモリ１０１ａには、ポジションマーカ番号に関連付けされて、現在のフォーカスポジションの情報が記憶される。
【００３８】
このように登録操作がされるとき、図３（ｂ）に示すように、ビューファインダ３００には、現在のフォーカスポジションを示す指標５００の上に、登録されたフォーカスポジションを示すポジションマーカ５０２が表示される。図３（ｃ）に示すように、ポジションマーカ５０２の、指標５００の移動方向における幅は、指標５００の幅Ｗに比較して大幅に小さくされ、登録されたフォーカスポジションを精度よく示すものとされる。このとき、カメラＣＰＵ１０１は、登録されたフォーカスポジション情報に基づいて、ＶＦ信号処理部１０５に、そのポジションマーカ５０２を表示するためのポジションマーカ表示信号を発生させるための表示制御信号を生成して送る。
【００３９】
ＶＦ信号処理部１０５は、この表示制御信号に基づいてポジションマーカ表示信号を発生させる。なお、このポジションマーカ信号は、後述するように、登録された表示色でポジションマーカ５０２が表示されるように、発生される。そして、ＶＦ信号処理部１０５は、撮像画像信号に、上述した指標表示信号と共に、このポジションマーカ表示信号を合成し、ビューファインダ用の画像信号を生成して、ビューファインダ３００に送る。なお、ＶＦ信号処理部１０５は、指標５００とポジションマーカ５０２の表示が重なるとき、ポジションマーカ５０２が指標５００より手前に配置されるように、指標表示信号およびポジションマーカ表示信号を発生する。
【００４０】
カメラマンは、このフォーカスポジションの登録/編集モードにおいて、上述したフォーカスポジション（ポジションマーカ）の登録の他に、ポジションマーカ５０２の表示色、ポジション名の登録、さらには、ポジションマーカ５０２の表示/非表示の設定も可能とされている。カメラＣＰＵ１０１は、これらの登録、設定に関しても、メモリ１０１ａに、ポジションマーカ番号に関連付けて記憶しておく。
【００４１】
カメラマンは、ポジションマーカ５０２の表示色に関しては、ユーザ操作部１０２を操作し、「ＣＯＬＯＲ」の項目を選択し、任意の色を登録する。図３（ａ），（ｂ）では、「ＲＥＤ」が選択されている。また、カメラマンは、ポジション名の登録に関しては、ユーザ操作部１０２を操作し、「ＮＡＭＥ」の項目を選択し、任意の名を登録する。図３（ａ），（ｂ）では、「ＡＡＡＡ」が選択されている。なお、この名は、例えば、登録されたフォーカスポジションでフォーカスを合わせる被写体の特定位置を示すものとされる。また、カメラマンは、ポジションマーカ５０２の表示/非表示の設定に関しては、ユーザ操作部１０２を操作し、「ＤＩＳＰＬＡＹ」の項目を選択し、“ＯＮ”または“ＯＦＦ”を設定する。
【００４２】
カメラマンは、上述したフォーカスポジション（ポジションマーカ）の登録などの処理を終えるとき、ユーザ操作部１０２を操作して、カメラＣＰＵ１０１に、フォーカスポジションの登録/編集モードを解除させる。図４（ａ）は、フォーカスポジションの登録/編集モードの解除後におけるビューファインダ３００の表示例を示しており、編集に係るＵＩ表示は消えた状態となる。この例は、ポジションマーカ５０２が１個だけ表示されている。なお、被写体の複数の特定位置についてフォーカスポジションを登録することも可能であり、図４（ｂ）は、その場合における表示例を示している。なお、撮像画像も同時に表示されるが、図面の簡単化のため、個々では省略されている。
【００４３】
次に、カメラシステム１０の実際の運用中におけるビューファインダ３００の表示について説明する。カメラマンがフォーカスデマンド４００を操作してフォーカス調整を行うとき、レンズ装置２００のレンズＣＰＵ２０１から、カメラ装置１００のカメラＣＰＵ１０１に、現在のフォーカスポジションの情報が、ケーブル２０２を介して、送られてくる。
【００４４】
カメラＣＰＵ１０１から、ＶＦ信号処理部１０５に、このフォーカスポジション情報に基づいて、指標表示信号を発生させるための表示制御信号が供給される。ＶＦ信号処理部１０５では、この表示制御信号に基づいて現在のフォーカスポジションを示す指標を表示するための指標表示信号が発生され、ビューファインダ３００に送られる撮像画像信号に合成される。
【００４５】
そのため、ビューファインダ３００には、図５（ａ）に示すように、現在のフォーカスポジションを示す指標５００が表示される。この指標５００は、カメラマンのフォーカス調整による現在のフォーカスポジションの変化に応じて移動する。なお、撮像画像も同時に表示されるが、図面の簡単化のために、ここでは省略している。
【００４６】
カメラマンは、被写体の特定位置にフォーカスを合わせる際には、その特定位置に対応したフォーカスポジションとなるようにフォーカス調整を行う。その際、その特定位置にフォーカスを合わせるためのフォーカスポジションが登録されている場合、カメラマンは、指標５００がその登録されているフォーカスポジションを示すポジションマーカ５０２に近づくように、フォーカス調整を行っていく。これにより、その特定位置にフォーカスを合わせることが容易に可能となる。
【００４７】
この実施の形態において、指標５００とポジションマーカ５０２が重なるとき、図５（ｂ）に示すように、登録されたフォーカスポジション（ポジションマーカ）に付随して登録されているポジション名（図示の例では、「ＡＡＡＡ」）がビューファインダ３００に表示される。この場合、カメラＣＰＵ１０１は、指標５００がポジションマーカ５０２と重なることを判別し、そのポジションマーカ５０２と対応付けてメモリ１０１ａに記憶されているポジション名の情報に基づいて、ＶＦ信号処理部１０５に、ポジション名表示信号を発生させるための表示制御信号を生成して送る。
【００４８】
ＶＦ信号処理部１０５は、この表示制御信号に基づいて、ポジション名表示信号を発生させる。そして、ＶＦ信号処理部１０５は、撮像画像信号に、指標表示信号、ポジションマーカ表示信号などと共に、このポジション名表示信号を合成し、ビューファインダ用の画像信号を生成して、ビューファインダ３００に送る。そのため、ビューファインダ３００に、ポジション名が表示される。そのため、カメラマンは、指標５００と重なっているポジションマーカ５０２が示すフォーカスポジションにした場合、被写体のどこにフォーカスを合わせることになるかを容易に確認可能となる。
【００４９】
図６、図７は、図５（ｂ）に対応した、ビューファインダ３００のより具体的な表示例を示している。図６の表示例では、３個表示されているポジションマーカ５０２のうち、指標５００が最も右側のポジションマーカ５０２に重なっており、ポジション名として「ＤＯＯＲ＿Ｎｏ１」が表示されている。また、図７の表示例では、３個表示されているポジションマーカ５０２のうち、指標５００が最も左側のポジションマーカ５０２に重なっており、ポジション名として「Ｐ−ＳＥＡＴ３」が表示されている。
【００５０】
カメラマンは、フォーカスボジションをポジションマーカ５０２が示す登録されたフォーカスポジションとする場合、図８（ａ）に示すように、指標５００がポジションマーカ５０２に重なり始めた状態から、最終的に、現在のフォーカスポジションが、登録されたフォーカスポジションとほぼ一致するまで、フォーカス調整を行う。ここで、ほぼ一致とは、現在のフォーカスポジションが登録されたフォーカスポジションを中心とする一定の範囲内に入ることを意味する。
【００５１】
ユーザは、この一定の範囲の大きさを連続的にあるいは段階的に調整することが可能とされている。この場合、ユーザは、例えば、ユーザ操作部１０２により、ＵＩ表示に基づいたユーザ操作（メニュー操作）を行うことで、一定の範囲の大きさを調整する。
【００５２】
上述したように、指標５００の移動方向におけるこの指標５００の表示幅Ｗがポジションマーカ５０２の表示幅より大きくなると共に、指標５００とポジションマーカ５０２の表示が重なるとき、ポジションマーカ５０２が指標５００より手前に配置される。そのため、カメラマンは、ポジションマーカ５０２で分断される指標５００の左右領域の大きさのバランスから、図８（ｂ１）に示すように、フォーカスポジションを、ポジションマーカ５０２が示す登録されたフォーカスポジションに合わせることが容易に可能となる。
【００５３】
なお、現在のフォーカスポジションが、登録されたフォーカスポジションとほぼ一致するとき、つまり、現在のフォーカスポジションが登録されたフォーカスポジションを中心とする一定の範囲内に入るとき、その旨がビューファインダ３００の画面のいずれかに表示されるようにされてもよい。例えば、そのとき、指標５００の表示態様、例えば形状および/または色を変更することも考えられる。図８（ｂ２）は、色が変更された例を示し、図８（ｂ３）は形状が変更された例を示している。この場合、カメラＣＰＵ１０１の制御のもと、ＶＦ信号処理部１０５では、指標の表示態様が変更されるように指標表示信号が発生される。なお、色ではなく、指標５００の模様、あるいは指標５００の色と模様が変えられてもよい。
【００５４】
図９のフローチャートは、カメラＣＰＵ１０１の指標５００等の表示制御の一例を示している。カメラＣＰＵ１０１は、ステップＳＴ１において、処理を開始し、その後に、ステップＳＴ２の処理に移る。このステップＳＴ２において、カメラＣＰＵ１０１は、カメラマン（ユーザ）のフォーカスデマンド４００の操作によるフォーカス調整があるか否かを判断する。カメラＣＰＵ１０１は、レンズ装置２００のレンズＣＰＵ２０１から送られてくる現在のフォーカスポジションの情報が示すフォーカスポジションが変化しているときは、フォーカス調整があると判断する。
【００５５】
フォーカス調整があるとき、カメラＣＰＵ１０１は、ステップＳＴ３において、指標５００の表示位置を、フォーカスポジションの変化に合わせて移動する。その後、カメラＣＰＵ１０１は、ステップＳＴ４の処理に移る。カメラＣＰＵ１０１は、ステップＳＴ２でフォーカス調整がないとき、直ちに、ステップＳＴ４の処理に移る。
【００５６】
このステップＳＴ４において、カメラＣＰＵ１０１は、指標５００の表示位置がポジションマーカ５０２の表示位置と重なるか否かを判断する。重なるとき、カメラＣＰＵ１０１は、ステップＳＴ５において、そのポジションマーカ５０２に対応して登録されているポジション（ポジションマーカ）名をビューファインダ３００に表示する。
【００５７】
そして、カメラＣＰＵ１０１は、ステップＳＴ６において、現在のフォーカスポジションが、指標５００と重なっているポジションマーカ５０２が示す登録されたフォーカスポジションを中心とする一定範囲内にあるか否かを判断する。一定範囲内にあるとき、カメラＣＰＵ１０１は、ステップＳＴ７において、指標５００を特定の表示態様とする。
【００５８】
カメラＣＰＵ１０１は、ステップＳＴ７の処理の後、ステップＳＴ２の処理に戻り、上述したと同様の処理を繰り返す。また、ステップＳＴ４で重なっていないとき、およびステップＳＴ６で一定範囲内にないときも、カメラＣＰＵ１０１は、ステップＳＴ２に戻り、上述したと同様の処理を繰り返す。
【００５９】
上述したように、図１に示すカメラシステム１０においては、ビューファインダ３００に、撮像画像と共に、現在のフォーカスポジションを示す指標５００を表示できる。そのため、例えば、カメラマンは、現在のフォーカスポジションのおおよその位置をビューファインダ３００から視線を外すことなく確認でき、フォーカスデマンド４００を使用したフォーカス調整を良好に行うことができる。
【００６０】
また、図１に示すカメラシステム１０においては、カメラ装置１００において、フォーカスポジションを登録でき、ビューファインダ３００には、指標５００の移動通路上に、登録されたフォーカスポジションを示すポジションマーカ５０２を表示できる。そのため、例えば、カメラマンは、指標５００の表示位置がポジションマーカ５０２の表示位置に近づくようにフォーカスデマンド４００を操作することで、被写体の特定位置にフォーカスを合わせることが容易に可能となる。
【００６１】
また、図１に示すカメラシステム１０においては、ビューファインダ３００に表示される指標５００の、その移動方向の表示幅Ｗが比較的大きくされている。そのため、例えば、カメラマンによる指標５００の視認性を高めることが可能となる。
【００６２】
また、図１に示すカメラシステム１０においては、指標５００の移動方向におけるこの指標５００の表示幅Ｗがポジションマーカ５０２の表示幅より大きくなると共に、指標５００とポジションマーカ５０２の表示が重なるとき、ポジションマーカ５０２が指標５００より手前に配置される。そのため、例えば、カメラマンはポジションマーカ５０２で分断される指標５００の左右領域の大きさのバランスから、フォーカスポジションをポジションマーカ５０２が示す登録されたフォーカスポジションに合わせることが容易に可能となる。
【００６３】
また、図１に示すカメラシステム１０においては、カメラ装置１００において、フォーカスポジションの登録に付随して、このフォーカスポジションを示すポジションマーカ５０２の表示色を登録でき、ビューファインダ３００には、その登録された表示色でポジションマーカ５０２を表示できる。そのため、例えば、複数のフォーカスポジションを登録する際に、それぞれ別個の表示色を登録することで、カメラマンは、複数の特定位置に係るポジションマーカを表示色で識別することが可能となる。
【００６４】
また、図１に示すカメラシステム１０においては、カメラ装置１００において、フォーカスポジションの登録に付随して、このフォーカスポジションに対応したポジション名（フォーカスを合わせる被写体位置の名など）を登録でき、指標５００の表示位置が所定のポジションマーカ５０２の表示位置に重なるとき、ビューファインダ３００には、その所定のポジションマーカ５０２が示すフォーカスポジションに対応したポジション名が表示される。そのため、例えば、カメラマンは、その所定のポジションマーカ５０２に指標５００を合わせた場合、被写体のどこにフォーカスを合わせることになるかを容易に認識可能となる。
【００６５】
また、図１に示すカメラシステム１０においては、現在のフォーカスポジションが、登録されたフォーカスポジションを中心とする一定の範囲内に入るとき、その旨がビューファインダ３００に表示される。例えば、指標５００の表示態様が変更される。そのため、例えば、カメラマンは、現在のフォーカスポジションがポジションマーカ５０２で示されるフォーカスポジションにほぼ一致したことを容易に把握可能となる。
【００６６】
＜２．変形例＞
なお、上述実施の形態においては、カメラマン（ユーザ）がユーザ操作部１０２を操作し、ＵＩ表示に基づいたユーザ操作（メニュー操作）を行うことで、フォーカスポジション登録を行う例を示した。しかし、図１０（ａ）に示すように、ユーザ操作部１０２に、フォーカスポジションを登録するための専用ハードスイッチ１０２ａを設け、この専用ハードスイッチ１０２ａを用いてフォーカスポジション登録を可能とする構成も考えられる。
【００６７】
カメラ装置１００が、例えば、最大でＮ個のフォーカスポジション登録が可能である場合、一部あるいは全部を専用ハードスイッチ１０２ａで登録するように構成できる。専用ハードスイッチ１０２ａでＭ個（Ｍ＜＝Ｎ）のフォーカスポジション登録を行う場合、専用ハードスイッチ１０２ａはＭ個必要となる。例えば、図１０（ｂ）に示すように、ユーザ操作部１０２に３個の専用ハードスイッチ１０２ａが設けられる場合には、専用ハードスイッチ１０２ａにより３個のフォーカスポジション登録が可能となる。
【００６８】
［専用ハードスイッチによる登録動作］
カメラＣＰＵ１０１は、専用ハードスイッチ１０２ａの操作情報に基づいて、フォーカスポジション登録およびその解除の動作を実行する。ここで、カメラＣＰＵ１０１は、専用ハードスイッチ１０２ａが、「オルタネイト動作スイッチ」であるか「モーメンタリ動作スイッチ」であるかにより、動作を異にする。
【００６９】
最初に、専用ハードスイッチ１０２ａが「オルタネイト動作スイッチ」である場合について説明する。スイッチオン時には、そのスイッチに関連付けて、現在のフォーカスポジションを登録し、ビューファインダ３００には、図１０（ｃ）に示すように、現在のフォーカスポジションを示す指標５００の上に、登録されたフォーカスポジションを示すポジションマーカ５０２を表示させる。また、スイッチオフ時には、そのスイッチに関連付けて登録されていたフォーカスポジションの登録を解除し、ビューファインダ３００に表示されていたポジションマーカ５０２の表示も解除する。
【００７０】
次に、専用ハードスイッチ１０２ａが「モーメンタリ動作スイッチ」である場合について説明する。未登録時におけるスイッチオン時には、そのスイッチに関連付けて、現在のフォーカスポジションを登録し、ビューファインダ３００には、図１０（ｃ）に示すように、現在のフォーカスポジションを示す指標５００の上に、登録されたフォーカスポジションを示すポジションマーカ５０２を表示させる。また、登録時におけるスイッチオン時には、そのスイッチに関連付けて登録されていたフォーカスポジションの登録を解除し、ビューファインダ３００に表示されていたポジションマーカ５０２の表示も解除する。
【００７１】
専用ハードスイッチ１０２ａが設けられる場合、各専用ハードスイッチ１０２ａに関連付けて、フォーカスポジションの登録の前、あるいは後において、ポジションマーカ５０２の表示色、さらには登録されるフォーカスポジションに対応したポジション名の登録が可能とされる。この場合、ユーザは、例えば、ユーザ操作部１０２により、ＵＩ表示に基づいたユーザ操作（メニュー操作）を行うことで、登録を行う。
【００７２】
上述したように専用ハードスイッチ１０２ａでフォーカスポジションの登録が可能とされることで、ユーザは、メニューを開くことなく、簡単にフォーカスポジションの登録、さらにはその解除を行うことが可能となる。
【００７３】
上述では、ユーザ操作部１０２に専用ハードスイッチ１０２ａが設けられた例を示した。しかし、専用ハードスイッチ１０２ａがカメラ装置１００自体ではなく、このカメラ装置１００に有線または無線で接続されるコントローラ等の外部機器に設けられ、これら外部機器から専用ハードスイッチ１０２ａのスイッチ操作情報が送られてくる構成であってもよい。
【００７４】
また、上述実施の形態では、指標５００とポジションマーカ５０２が重なるとき、登録されたフォーカスポジション（ポジションマーカ）に関連付けて登録されているポジション名がビューファインダ３００に表示される例を示した（図５の「ＡＡＡＡ」参照）。
【００７５】
しかし、指標５００とポジションマーカ５０２が重なるとき、撮像画像の端部の一部または全部の領域にそのポジションマーカ５０２の表示色と同一色の色表示を行う構成も考えられる。図１１（ａ）は、撮像画像の端部の全部に矩形の色枠（画面枠）５０４が表示された例を示している。なお、撮像画像の端部の一部としては、上端と下端、あるいは左端と右端などが考えられる。
【００７６】
この場合、カメラＣＰＵ１０１は、指標５００がポジションマーカ５０２と重なることを判別し、そのポジションマーカ５０２と対応付けてメモリ１０１ａに記憶されているポジションマーカ５０２の表示色の情報に基づいて、ＶＦ信号処理部１０５に、撮像画像の端部に同一色の色表示を行う色表示信号を発生させるための表示制御信号を生成して送る。
【００７７】
ＶＦ信号処理部１０５は、この表示制御信号に基づいて、色表示信号を発生させる。そして、ＶＦ信号処理部１０５は、撮像画像信号に、指標表示信号、ポジションマーカ表示信号などと共に、この色表示信号を合成し、ビューファインダ用の画像信号を生成して、ビューファインダ３００に送る。
【００７８】
そのため、ビューファインダ３００に表示される撮像画像の端部に、指標５００が重なるポジションマーカ５０２と同一色の色表示が行わる。これにより、カメラマン（ユーザ）は、どのポジションマーカ５０２に指標を合わせたか、従って、被写体のどこにフォーカスを合わせたかを容易に確認可能となる。
【００７９】
上述したように、指標５００とポジションマーカ５０２が重なるとき、撮像画像の端部の一部または全部の領域にそのポジションマーカ５０２の表示色と同一色の色表示を行う構成を採用する場合、ポジション名の登録の手間を省くことができ、また、最小限の画面占有面積で重なったことを示すことができる。
【００８０】
なお、図１１（ｂ）に示すように、指標５００とポジションマーカ５０２が重なるとき、撮像画像の端部にそのポジションマーカ５０２の表示色と同一色の色表示（色枠５０４）を表示する構成の場合、ポジション名を併せて表示してもよい。この場合には、重なったことをさらに強調する効果がある。
【００８１】
図１２は、図１１（ａ）に対応した、ビューファインダ３００のより具体的な表示例を示している。この表示例では、３個表示されているポジションマーカ５０２のうち、指標５００が最も右側のポジションマーカ５０２に重なっており、撮像画像の端部にそのポジションマーカ５０２と同一色の色枠５０４が表示されている。また、図１３は、図１１（ｂ）に対応した、ビューファインダ３００のより具体的な表示例を示している。この表示例では、３個表示されているポジションマーカ５０２のうち、指標５００が最も右側のポジションマーカ５０２に重なっており、撮像画像の端部にそのポジションマーカ５０２と同一色の色枠５０４が表示されていると共に、ポジション名として「ＤＯＯＲ＿Ｎｏ１」が表示されている。
【００８２】
また、指標５００とポジションマーカ５０２が重なるとき、ポジション名表示のみを行うモード（図５（ｂ）参照）と、色表示のみを行うモード（図１１（ａ）参照）と、ポジション名表示および色表示の双方を行うモード（図１１（ｂ）参照）のいずれかにユーザが設定可能とすることも考えられる。
【００８３】
また、上述実施の形態では、ビューファインダ３００に、現在のフォーカスポジションを示す指標として長方形状の指標５００を表示し、フォーカスポジションの変化に応じてその指標５００の位置が移動する例を示した。しかし、図１４に示すように、現在のフォーカスポジションを示す指標として棒状の指標５００Ａを表示し、フォーカスポジションの変化に応じてその指標５００Ａの長さが伸縮する例も考えられる。図１４において、図２（ａ）と対応する部分には同一符号を付している。
【００８４】
また、本技術は、以下のような構成を取ることもできる。
（１）フォーカスポジション情報に基づいて現在のフォーカスポジションを示す指標を表示する指標表示信号を発生する表示信号発生部と、
撮像画像信号に上記指標表示信号を合成してビューファインダ用の画像信号を得る合成部とを備える
カメラ装置。
（２）フォーカスポジションを登録するフォーカスポジション登録部をさらに備え、
上記表示信号発生部は、上記指標表示信号と共に、上記指標の移動通路上に上記登録されたフォーカスポジションを示すポジションマーカを表示するポジションマーカ表示信号を発生し、
上記合成部は、上記撮像画像信号に、上記指標表示信号および上記ポジションマーカ表示信号を合成してビューファインダ用の画像信号を得る
前記（１）に記載のカメラ装置。
（３）上記フォーカスポジション登録部は、ＵＩ表示に基づいたユーザ操作に応じて現在のフォーカスポジションを登録する
前記（２）に記載のカメラ装置。
（４）上記フォーカスポジション登録部は、フォーカスポジション登録のためのスイッチの操作情報に基づいて現在のフォーカスポジションを登録する
前記（２）に記載のカメラ装置。
（５）上記フォーカスポジション登録部は、フォーカスポジションの登録状態にあるとき、上記フォーカスポジション登録のためのスイッチの操作情報に基づいてフォーカスポジションの登録状態を解除する
前記（４）に記載のカメラ装置。
（６）上記表示信号発生部は、
上記指標の移動方向における該指標の表示幅が上記ポジションマーカの表示幅より大きくなると共に、
上記指標と上記ポジションマーカの表示が重なるとき、上記ポジションマーカが上記指標より手前に配置されるように、
上記指標表示信号および上記ポジションマーカ表示信号を発生する
前記（２）から（５）のいずれかに記載のカメラ装置。
（７）上記指標の表示幅を調整する幅調整部をさらに備える
前記（６）に記載のカメラ装置。
（８）上記フォーカスポジションの登録に関連付けて、該フォーカスポジションを示すポジションマーカの表示色を登録する表示色登録部をさらに備え、
上記表示信号発生部は、上記登録されたフォーカスポジションを示すポジションマーカを表示するポジションマーカ表示信号を、該ポジションマーカが上記登録された表示色で表示されるように発生する
前記（２）から（７）のいずれかに記載のカメラ装置。
（９）上記表示信号発生部は、上記指標と上記ポジションマーカの表示が重なるとき、上記指標表示信号および上記ポジションマーカ表示信号と共に、撮像画像の端部の一部または全部の領域に上記ポジションマーカの表示色と同一色の色表示を行う色表示信号を発生し、
上記合成部は、上記撮像画像信号に、上記指標表示信号、上記ポジションマーカ表示信号および上記色表示信号を合成してビューファインダ用の画像信号を得る
前記（８）に記載のカメラ装置。
（１０）上記フォーカスポジションの登録に関連付けて、該フォーカスポジションに対応したポジション名を登録するポジション名登録部をさらに備え、
上記表示信号発生部は、上記指標と上記ポジションマーカの表示が重なるとき、上記指標表示信号および上記ポジションマーカ表示信号と共に、上記登録されたポジション名を表示するポジション名表示信号を発生し、
上記合成部は、上記撮像画像信号に、上記指標表示信号、上記ポジションマーカ表示信号および上記ポジション名表示信号を合成してビューファインダ用の画像信号を得る
前記（２）から（９）のいずれかに記載のカメラ装置。
（１１）上記表示信号発生部は、
上記フォーカスポジション情報が示す現在のフォーカスポジションが、上記登録されたフォーカスポジションを中心とする一定の範囲内に入るとき、
上記指標の表示態様が変更されるように上記指標表示信号を発生する
前記（２）から（１０）のいずれかに記載のカメラ装置。
（１２）上記一定の範囲の大きさを調整する範囲調整部をさらに備える
前記（１１）に記載のカメラ装置。
（１３）上記指標の表示態様の変更は、形状および/または色の変更である
前記（１１）または（１２）に記載のカメラ装置。
（１４）表示信号発生部により、フォーカスポジション情報に基づいて現在のフォーカスポジションを示す指標を表示する指標表示信号を発生し、
撮像画像信号に上記指標表示信号を合成してビューファインダ用の画像信号を得る
ビューファインダ用画像信号の生成方法。
【符号の説明】
【００８５】
１０・・・カメラシステム
１００・・・カメラ装置
１０１・・・カメラＣＰＵ
１０１ａ・・・メモリ
１０２・・・ユーザ操作部
１０２ａ・・・専用ハードスイッチ
１０３・・・センサー部
１０４・・・カメラ信号処理部
１０５・・・ＶＦ信号処理部
２００・・・レンズ装置
２０１・・・レンズＣＰＵ
２０２・・・ケーブル
３００・・・ビューファインダ
４００・・・フォーカスデマンド
４０１・・・ケーブル
５００，５００Ａ・・・指標
５０１・・・ガイドライン
５０２・・・ポジションマーカ
５０４・・・色枠
【図１】
2015111808.tif 000003
【図２】
2015111808.tif 000004
【図３】
2015111808.tif 000005
【図４】
2015111808.tif 000006
【図５】
2015111808.tif 000007
【図８】
2015111808.tif 000008
【図９】
2015111808.tif 000009
【図１０】
2015111808.tif 000010
【図１１】
2015111808.tif 000011
【図１４】
2015111808.tif 000012
【図６】
2015111808.tif 000013
【図７】
2015111808.tif 000014
【図１２】
2015111808.tif 000015
【図１３】
2015111808.tif 000016